(57)【要約】【課題】着用時の運動特性及び通気性の改善を図るとともに、丈夫で袴着用時には見栄えもよく且つ安全性の向上に寄与し衛生面にも優れる武道着、及び武道着の製造方法を提供すること。【解決手段】前身頃側及び後身頃側の下端部に複数のスリット部が形成され上部両側が略円弧状のなだらかな曲線状になるよう形成された身頃と、身頃から外側下方へ指向するよう当該身頃に設けられた袖部と、身頃の後身頃の上端部から前身頃の下端部に亘って設けられた襟部とを具備する武道着であって、身頃は前身頃と後身頃の境界部分に近づくにつれて丈が長くなり、袖部はその上部が略円弧状のなだらかな曲線状になるよう形成されたことを特徴とする。【選択図】図１
2014025186.tif 000002
【特許請求の範囲】
【請求項１】
前身頃側及び後身頃側の下端部に複数のスリット部が形成され、上部両側が略円弧状のなだらかな曲線状になるよう形成された身頃と、
この身頃から外側下方へ指向するよう当該身頃に設けられた袖部と、
上記身頃の後身頃の上端部から前身頃の下端部に亘って設けられた襟部とを具備する武道着であって、
上記身頃は、前身頃と後身頃の境界部分に近づくにつれて丈が長くなり、
上記袖部は、その上部が略円弧状のなだらかな曲線状になるよう形成されたことを特徴とする武道着。
【請求項２】
上記身頃の前身頃と後身頃の境界部分の下端部は、袴の脇あきを当該袴の内側から覆う程度の大きさであることを特徴とする請求項１記載の武道着。
【請求項３】
上記身頃に形成されるスリット部は、上記前身頃及び後身頃の下端部中央寄りに形成されたことを特徴とする請求項１または請求項２記載の武道着。
【請求項４】
上記身頃の前身頃と後身頃の境界部分の丈の長さは、上記スリット部から上記境界部分に向かって長くなっていくよう形成したことを特徴とする請求項１、請求項２または請求項３記載の武道着。
【請求項５】
下端部にスリット部が形成され、上部両側が略円弧状のなだらかなカーブとなるよう曲線状に形成された身頃と、
この身頃から外側下方へ指向するよう当該身頃に設けられ、その上部が略円弧状のなだらかなカーブとなるよう曲線状に形成された袖部と、
上記身頃の後身頃の上端部から前身頃の下端部に亘って設けられた襟部とを具備することを特徴とする武道着。
【請求項６】
上記スリット部は、上記身頃の下端部に複数形成されたことを特徴とする請求項５記載の武道着。
【請求項７】
上記スリット部は、上記前身頃及び後身頃の下端部中央寄りに複数形成されたことを特徴とする請求項６記載の武道着。
【請求項８】
上記身頃は、上記前身頃と後身頃の境界部分に近づくにつれて丈が長くなるよう構成したことを特徴とする請求項５記載の武道着。
【請求項９】
上記身頃の前身頃と後身頃の境界部分の下端部は、袴の脇あきを当該袴の内側から覆う程の大きさであることを特徴とする請求項５または請求項８記載の武道着。
【請求項１０】
上記身頃の前身頃と後身頃の境界部分の丈の長さは、上記スリット部から上記境界部分に向かって長くなっていくよう形成したことを特徴とする請求項６、請求項７、請求項８または請求項９記載の武道着。
【請求項１１】
前身頃と後身頃の境界部分に近づくにつれて丈が長くなり、上部両側が略円弧状のなだらかな曲線状になるよう形成された身頃の前身頃側及び後身頃側の下端部中央寄りに複数のスリット部を形成する工程と、
上部が略円弧状のなだらかな曲線状になるよう形成され、上記身頃から外側下方へ指向するよう当該身頃に袖部を設ける工程と、
上記身頃の後身頃の上端部から前身頃の下端部に亘って襟部を設ける工程とからなることを特徴とする武道着の製造方法。
【請求項１２】
上部両側が略円弧状のなだらかなカーブとなるよう曲線状に形成された身頃の下端部に複数のスリット部を設ける工程と、
上部が略円弧状のなだらかなカーブとなるよう曲線状に形成され、上記身頃から外側下方へ指向するよう当該身頃に袖部を設ける工程と、
上記身頃の後身頃の上端部から前身頃の下端部に亘って襟部を設ける工程とからなることを特徴とする武道着の製造方法。
【発明の詳細な説明】
【技術分野】
【０００１】
本発明は、着用時の運動特性及び通気性の改善を図った武道着、特に袴と一緒に身に着けて行う剣道に好適な武道着、及びこの武道着の製造方法に関する。
【背景技術】
【０００２】
従来、例えば剣道を行う際に着用する武道着１０は、図１７及び図１８に示すように、馬乗１２を背面（後身頃）中央下端部に形成する身頃１１に、袖１３，１３を設けた後、襟１４及び胸紐１５，１５を縫い付けることにより構成されている。袖１３を身頃１１に縫い付けるに際しては、袖１３の上端部分１３ａが身頃１１の上端部分１１ａと、即ち肩の部分にて略同一直線上に位置するよう身頃１１に袖１３を縫製するものであった。而して、この武道着１０は、身頃１１の腰１１ｂの辺りから下方部分を袴２０の内側に入れて、稽古や試合に臨むものであった。
【０００３】
ここで、袴２０の内側に入れられて袴２０の内側に位置する身頃１１の下方部分は、袴２０の上部両側面に夫々設けられた脇あき２０ａを内側から覆うような状態となり、通常は着用者の脚が脇あき２０ａを介して露出するようなことはないものであった。しかしながら、適切に武道着１０を着用できてないと、或いは着用者の激しい動きにより身頃１１が袴２０からずれてしまうと、身頃１１の下方部分は脇あき２０ａを覆うことができなくなり、脚の素肌が露出し外見上見苦しい状態になることは勿論、怪我をする危険性も高まるものであった。
【０００４】
また、蹲踞の際、身頃１１は着用者からの急激な押圧力を受けるものである。この負荷を軽減するため身頃１１の後身頃側の中央下端部には馬乗１２が形成されているのだが、押圧力に抗し切れない場合、馬乗１２が裂けてしまうことが間々あった。特に、武道着１０が着用者の体格に比して余裕ある大きさではない場合や、体格の大きな着用者の場合にその傾向が大きいものであった。
【０００５】
さらに、身頃１１の腰１１ｂを袴２０の内側に入れていることにより、着用者は上半身の動きが多少なりとも制約を受ける虞があった。特に、面打ちの動作に際しては、腕を大きく頭上に振り被るので、身頃１１と袖１３の夫々の上端部分１１ａ，１３ａが一直線状となるよう縫製していることも起因し、動きに制約を受けるものであった。さらに、このように一直線状となるよう縫製していることにより、竹刀を正面に構える剣道や腕を正面で構える空手道にあっては、構えた際に袖部分の余裕が変化し身頃の胸部辺りが膨らんだり着崩れを起こすことにより、フィット感がなくなり、武道特有の美しい動きや立ち姿に悪影響を及ぼすばかりでなく、運動特性が損なわれるものであった。また、身頃１１の腰１１ｂの部分を袴２０の内側に入れることにより、通気性も悪くなり、着用者にとっては、発汗や発熱による負荷の影響を受け、体力消耗が助長されるものであった。また、臭気や湿気による衛生上の問題も生じるものであった。
【０００６】
このような武道着の不具合を解消する目的で、武道着に通気性の良い素材を用いることで通気性の改善を図ろうとしているものが提案されている。しかし、このものにあっては、身頃の上部側の通気性の改善は図れるかもしれないが、袴の内側に入った身頃の腰部分の通気性の改善は図れないものである。さらに、このものにあっては、上述した他の不具合は何等解消されないものである。
【０００７】
また、特許文献１に開示されているように、運動特性を高めるために袖を下方へ直線状に傾斜させた武道着が提案されている。しかし、このものにあっては、身頃の肩線から袖の取付けを立体裁断により縫製することで、より体にフィットさせ、着崩れを起こさないようにするためのものである。従来の馬乗の断裂、通気性、上半身の動きの制約の問題や袴着用時に生じる問題については、何等考慮されておらず、また何等示唆もされてないものである。
【先行技術文献】
【特許文献】
【０００８】
【特許文献１】公開特許公報特開２００１−８９９１０号
【発明の概要】
【発明が解決しようとする課題】
【０００９】
上述したように従来の武道着では、馬乗の断裂への対応、通気性及び上半身の動きの制約の問題や、袴着用時に生じる見映え及び安全性の問題並びに衛生上の問題については、総括的には何等解決さていなものである。
【００１０】
そこで本発明は上記事情を考慮してなされたものであり、上述不具合を解消し、着用時の運動特性及び通気性の改善を図るとともに、丈夫で袴着用時には見栄えもよく且つ安全性の向上に寄与し衛生面でも優れる武道着、及び武道着の製造方法を提供することを目的とする。
【課題を解決するための手段】
【００１１】
本発明は、上記目的を達成するために以下の通りに構成することを特徴とする。
【００１２】
（１）前身頃側及び後身頃側の下端部に複数のスリット部が形成され上部両側が略円弧状のなだらかな曲線状になるよう形成された身頃と、この身頃から外側下方へ指向するよう当該身頃に設けられた袖部と、上記身頃の後身頃の上端部から前身頃の下端部に亘って設けられた襟部とを具備する武道着であって、上記身頃は前身頃と後身頃の境界部分に近づくにつれて丈が長くなり、上記袖部はその上部が略円弧状のなだらかな曲線状になるよう形成されるよう構成したことを特徴する。
【００１３】
（２）上記（１）の構成にあって、上記身頃の前身頃と後身頃の境界部分の下端部は、袴の脇あきを当該袴の内側から覆う大きさとなるよう構成したことを特徴とする。
【００１４】
（３）上記（１）または（２）の構成にあって、上記身頃に形成されるスリット部は、上記前身頃及び後身頃の下端部中央寄りに形成されるよう構成したことを特徴とする。
【００１５】
（４）上記（１）、（２）または（３）の構成にあって、上記身頃の前身頃と後身頃の境界部分の丈の長さは、上記スリット部から上記境界部分に向かって長くなっていくよう形成したことを特徴とする。
【００１６】
（５）下端部にスリット部が形成され、上部両側が略円弧状のなだらかなカーブとなるよう曲線状に形成された身頃と、この身頃から外側下方へ指向するよう当該身頃に設けられその上部が略円弧状のなだらかなカーブとなるよう曲線状に形成された袖部と、上記身頃の後身頃の上端部から前身頃の下端部に亘って設けられた襟部とを具備した構成を特徴とする。
【００１７】
（６）上記（５）の構成にあって、上記スリット部は、上記身頃の下端部に複数形成したことを特徴とする。
【００１８】
（７）上記（６）の構成にあって、上記スリット部は、上記前身頃及び後身頃の下端部中央寄りに複数形成したことを特徴とする。
【００１９】
（８）上記（５）の構成にあって、上記身頃は、上記前身頃と後身頃の境界部分に近づくにつれて丈が長くなるよう構成したことを特徴とする。
【００２０】
（９）上記（５）または（８）の構成にあって、上記身頃の前身頃と後身頃の境界部分の下端部は、袴の脇あきを当該袴の内側から覆う程の大きさであることを特徴とする。
【００２１】
（１０）上記（６）、（７）、（８）または（９）の構成にあって、上記身頃の前身頃と後身頃の境界部分の丈の長さは、上記スリット部から上記境界部分に向かって長くなっていくよう形成したことを特徴とする。
【００２２】
（１１）前身頃と後身頃の境界部分に近づくにつれて丈が長くなり上部両側が略円弧状のなだらかな曲線状になるよう形成された身頃の前身頃側及び後身頃側の下端部中央寄りに複数のスリット部を形成する工程と、上部が略円弧状のなだらかな曲線状になるよう形成され上記身頃から外側下方へ指向するよう当該身頃に袖部を設ける工程と、上記身頃の後身頃の上端部から前身頃の下端部に亘って襟部を設ける工程とからなるよう構成したことを特徴とする。
【００２３】
（１２）上部両側が略円弧状のなだらかなカーブとなるよう曲線状に形成された身頃の下端部に複数のスリット部を設ける工程と、上部が略円弧状のなだらかなカーブとなるよう曲線状に形成され上記身頃から外側下方へ指向するよう当該身頃に袖部を設ける工程と、上記身頃の後身頃の上端部から前身頃の下端部に亘って襟部を設ける工程とからなるよう構成したことを特徴とする。
【００２４】
（１３）上記（１）乃至（１０）の構成にあって、袖部を身頃に縫い付けた後、当該縫い付け箇所にバイアステープの処理を施すことにより袖部を身頃に設けるよう構成したことを特徴とする。
【００２５】
（１４）上記（１）乃至（１０）の構成にあって、袖部の端部を身頃の端部よりずらして重ね合わせて袖部と身頃を直線縫いし、当該袖部の端部を三つ折状態にして身頃側に重ねて更に直線縫いすることにより袖部を身頃に設けるよう構成したことを特徴とする。
【００２６】
（１０）上記（１）乃至（１０）の構成にあって、身頃及び袖部の端部にピンキングカットの処理を施して伸縮性を有する糸にて両者に縫い代を設け、この縫い代を開いた状態で身頃と袖部の継ぎ目を跨ぐようにジグザク状若しくは波状のステッチ処理を施すことにより袖部を身頃に設けるよう構成したことを特徴とする。
【００２７】
（１１）上記（１）乃至（１０）の構成にあって、身頃及び袖部の端部にピンキングカットの処理を施して伸縮性を有する糸にて両者に縫い代を設け、この縫い代を袖部側に重ね合わせた状態で継ぎ目を跨ぐようにジグザク状若しくは波状のステッチ処理を施すことにより袖部を身頃に設けるよう構成したことを特徴とする。
【００２８】
上記構成によれば、複数のスリット部を形成することにより、蹲踞による急激な圧力が身頃に加わった場合でも、複数のスリット部の動きにより身頃への負荷を軽減でき、スリット部が断裂するような事態は解消されるものである。そして、スリット部が複数あること、特に前身頃にもスリット部が形成される場合は、通気性の改善も図れ、汗や熱による臭気の発生を防止できるとともに湿気防止も図れ、衛生面での改善も図れるものである。また、身頃及び袖部はその上部が略円弧状のなだらかなカーブとなるよう曲線状に形成されているので、着用者の肩や腕の動きへの負荷が軽減され、運動特性が改善されるものである。加えて、着用者が腕を前に構えたときに、従来のような武道着の胸部のふくらみや着崩れの問題を解消でき、体へのフィット感も向上し、武道で大切な立ち姿勢の姿が大変美しくなり見栄えも向上するとともに、着用者の円滑な動きが保証されるものである。さらに、身頃を前身頃と後身頃の境界部分に近づくにつれて丈が長くなるよう形成すると、袴着用時に袴の脇あきを袴の内側から確実に覆うことができ、ずれによる影響も受け難くなり、見映えも良く安全性の向上を図れるものである。
【００２９】
しかも上記構成によれば、身頃と後身頃の境界部分の下端部の大きさを、一般的な袴の脇あきの大きさより大きくなるよう形成してあるので、袴の脇あきを確実に袴の内側から覆うことでき、武道着と袴の着用に関し、着用者は従来のように脇あき部分の見映えを気にする必要がなく、容易且つ迅速に身に着けることができるものである。
【００３０】
また、上記構成によれば、スリット部は、前身頃及び後身頃の下端部中央寄りに形成されているので、袴の中での前後の通気性の改善が図れるものである。さらには、スリット部を複数有することにより、激しい動きによるずれの防止も図れるとともに、身頃に加わる様々な圧力の負荷を分散・軽減できるものである。
【００３１】
さらに、上記構成によれば、身頃の前身頃と後身頃の境界部分の丈の長さを、スリット部から境界部分に向かって長くなるよう形成したので、必要最小限の布地使用で、袴の脇あきを覆うことができ、経済的にも優れるものである。
【発明の効果】
【００３２】
本発明によれば、武道着着用時の運動特性及び通気性の改善を図れるとともに、衛生面での向上を図れるものである。また、構造的にも丈夫で着用も容易な武道着を提供でき、袴着用時には見栄えもよく且つ安全性の向上に寄与するという実用的で優れた効果を奏するものである。
【図面の簡単な説明】
【００３３】
【図１】本発明の一実施形態に係る武道着の正面図。
【図２】同実施形態に係り、武道着の背面図。
【図３】同実施形態に係り、着用した状態の武道着の上部を示す側面図。
【図４】同実施形態に係り、武道着及び袴を着用した状態で示す正面図。
【図５】同実施形態に係り、武道着及び袴を着用した状態で示す側面図。
【図６】同実施形態に係り、武道着及び袴を着用した状態で示す背面図。
【図７】同実施形態に係り、武道着の製造工程の流れを概略的に示す図。
【図８】本発明の他の実施形態に係る武道着の正面図
【図９】同実施形態に係り、武道着の背面図。
【図１０】同実施形態に係り、武道着及び袴を着用した状態で示す側面図。
【図１１】同実施形態に係り、武道着の製造工程の流れを概略的に示す図。
【図１２】本発明の一実施形態及び他の実施形態に係り、身頃と袖部の縫製状態を概略的に示す図。
【図１３】本発明の一実施形態及び他の実施形態に係り、身頃と袖部の図１２とは異なる縫製状態を概略的に示す図。
【図１４】本発明の一実施形態及び他の実施形態に係り、身頃と袖部の図１３とは異なる縫製状態を概略的に示す図。
【図１５】本発明の一実施形態及び他の実施形態に係り、身頃と袖部の図１４とは異なる縫製状態を概略的に示す図。
【図１６】本発明の一実施形態及び他の実施形態に係り、身頃と袖部の図１５とは異なる縫製状態を概略的に示す図。
【図１７】従来の武道着の正面図。
【図１８】従来の武道着及び袴を着用した状態で示す図。
【発明を実施するための形態】
【００３４】
以下本発明の一実施形態につき、図１乃至図７を参照して説明する。
【００３５】
本実施形態に係わる武道着は、袴と一緒に着用する際の武道着、特に剣道着として好適なものである。
【００３６】
武道着１００は、前身頃１１２及び後身頃１１４からなる身頃１１０と、この身頃１１０の上部左右両側にて外側下方へ指向するよう設けられた袖部１２０，１２０及び身頃１１０の後身頃１１４側の上部１１０ａから前身頃１１２側の下端部１１０ｂに亘って設けられた襟部１３０とから構成される。また、武道着１００は、ポリエステルを素材として使用しているが、これに限定されるものではなく、綿や麻等、武道着に適した素材であればよい。
【００３７】
身頃１１０は、その上部１１０ａの左右両側部分が略円弧状のなだらかなカーブとなるよう曲線状に形成されているものである。また、身頃１１０の腰１１０ｃ部分の下端部１１０ｂには、スリット部１４０が前身頃１１２側に二つ、そして後身頃１１４側に二つ形成されている。このスリット部１４０は、身頃１１０の左右の両側部分ではなく、前身頃１１２側及び後身頃１１４側ともに下端部１１０ｂの中央寄りに形成されている。さらに、身頃１１０は、スリット部１４０から前身頃１１２と後身頃１１４の境界部分の下端部（境界下端部）１１０ｄに近づくにつれて丈が長くなるよう形成されている。この境界下端部１１０ｄの大きさは、武道着１００のサイズに合致する袴２００の脇あき２００ａの大きさより大きくなるよう形成されている。例えば、脇あき２００ａの大きさ（面積）をＳとすると、境界下端部１１０ｄの大きさ（面積）は１．４×Ｓとなるよう形成されている。
【００３８】
或いは、例えば武道着１００のサイズに合致する袴２００の標準的な長さ、即ち脇あき２００ａの上端部から下端部までの垂直方向の長さより大きくなるよう形成してもよいものである。即ち、例えば、脇あき２００ａの長さが標準的には３０ｃｍ乃至４０ｃｍであることを考慮し、境界下端部１１０ｄの丈の長さは、その１．４倍程度の長さがあれば充分である。ここで、本実施形態の境界下端部１１０ｄは、身頃１１０の下端部１１０ｂから境界下端部１１０ｄの最下端までの長さＬを有するので、Ｌ＝３０×１．４（ｃｍ）〜４０×１．４（ｃｍ）となる。なお、長さＬは、脇あき２００ａの長さより大きくなっていればよく、１．４倍に限定される訳ではない。
【００３９】
袖部１２０は内側が空洞となる筒状であり、当該袖部１２０の上部１２０ａが略円弧状のなだらかなカーブを描くよう曲線状に形成されており、身頃１１０の上部左右両側にて外側下方へ指向するよう縫製により設けられているものである。
【００４０】
襟部１３０は、身頃１１０の上部１１０ａ即ち後身頃１１４の上端部から身頃１１０の下端部１１０ｂ即ち前身頃１１２の下端部に亘って縫製により設けられている。而して、襟部１３０には、胸紐１５０，１５０が設けられている。
【００４１】
前述した袴２００には、脇あき２００ａの他に袴帯２１０及び腰板２２０が設けられている。この袴帯２１０と腰板２２０は、袴２００を穿いた着用者にしっかり固定させるために機能するばかりではなく、袴２００の内側に入れられた武道着１００を適切にホールドする機能を有するものである。
【００４２】
上記構成につき、本実施形態の武道着１００の製造方法の一例を図７を参照して説明する。
【００４３】
先ず、前身頃１１２と後身頃１１４の境界部分の下端部である境界下端部１１０ｄに近づくにつれて丈が長くなり、上部１１０ａの両側が略円弧状のなだらかなカーブとなるよう曲線状に裁断された身頃１１０の下端部１１０ｂに、スリット部１４０を複数設ける（ステップＳ７２０）。即ち、前身頃１１２の中央下端部寄りの位置にて左右に一箇所ずつスリット部１４０を設け、後身頃１１４の中央下端部寄りの位置にて左右に一箇所ずつスリット部１４０を設け、合計四つのスリット部１４０を設ける。そして、スリット部１４０の縁には補強部材が縫製される。
【００４４】
次に、上部１２０ａが略円弧状のなだらかな曲線状になるよう形成された筒状の袖部１２０を、身頃１１０の上部左右両側、即ち身頃１１０の曲線状を呈す箇所にて外側下方へ指向するよう縫製される。これにより、袖部１２０が身頃１１０に設けられることになる（ステップＳ７４０）。この縫製に際しては、補強用のバイアステープによる処理が施される。
【００４５】
この後、身頃１１０の後身頃１１４の上端部から前身頃１１２の下端部に亘って襟部１３０を縫製により設ける（ステップＳ７６０）。この後、胸紐１５０を襟部１３０に取り付ける（ステップＳ７８０）。
【００４６】
続いて、上記武道着１００に関し、着用時の作用を説明する。
【００４７】
武道着１００と袴２００を身に着けた着用者が蹲踞する場合、複数のスリット部１４０により身頃１１０の下端部１１０ｂが自由に動くことができるので、身頃１１０に加わる圧力は一箇所に集中することなく分散されることになる。また、着用者が竹刀を正面で構えた際、身頃１００の上部１１０ａと袖部１２０が着用者の上半身及び腕に嵩張ることなくフィットするので、着用者の円滑な動きを可能とするものであり、立ち姿も美しくなる。特に、腕を振り上げる動作については、曲線状に形成された身頃１００及び袖部１２０の上部が着用者の動作に負荷をかけることはない。さらに、着用者の激しい動きにより、袴２００の内側に入れられた武道着１００の腰１１０ｃがずれたとしても、スリット部１４０による負荷分散機能も加わって、境界下端部１１０ｄは脇あき２００ａを内側からしっかり覆った状態を保つものである。
【００４８】
本実施形態によれば、蹲踞による急激な圧力が身頃に加わった場合でも、複数のスリット部１４０の動きにより身頃への負荷を軽減でき、従来のようにスリット部が断裂するような事態は解消されるものである。また、前身頃１１２にもスリット部１４０が形成されているので、通気性の改善も図れ、汗や熱による臭気の発生を防止できるとともに湿気防止も図れ、衛生面での改善も図れる。さらに、身頃１１０及び袖部１２０はその上部が略円弧状のなだらかなカーブとなるよう曲線状に形成されているので、着用者の肩や腕の動きへの負荷が軽減され、運動特性が改善される。加えて、着用者が腕を前に構えたときに、従来のような武道着の胸部のふくらみや着崩れの問題を解消でき、体へのフィット感も向上し、武道で大切な立ち姿勢の姿が大変美しくなり見栄えも向上するとともに、着用者の円滑な動きが保証されるものである。而して、身頃１１０は前身頃１１２と後身頃１１４の境界部分に近づくにつれて丈が長くなるよう形成されているので、袴着用時に袴２００の脇あき２００ａを袴２００の内側から確実に覆うことができ、ずれによる影響も受け難くなり、見映えも良く安全性の向上を図れるものである。
【００４９】
次に、他の実施形態について、図８乃至図１１を参照して説明する。
【００５０】
武道着８００は、前身頃８１２及び後身頃８１４からなる身頃８１０と、この身頃８１０の上部左右両側にて外側下方へ指向するよう設けられた袖部８２０，８２０及び身頃８１０の後身頃８１４側の上部８１０ａから前身頃８１２側の下端部８１０ｂに亘って設けられた襟部８３０とから構成される。また、武道着８００は、ポリエステルを素材として使用しているが、これに限定されるものではなく、綿や麻等、武道着に適した素材であればよい。
【００５１】
身頃８１０は、その上部８１０ａの左右両側部分が略円弧状のなだらかなカーブとなるよう曲線状に形成されているものである。また、身頃８１０の腰８１０ｃ部分の下端部８１０ｂには、スリット部８４０が前身頃８１２側に二つ、そして後身頃８１４側に二つ形成されている。このスリット部８４０は、前身頃８１２側及び後身頃８１４側ともに下端部８１０ｂの中央寄りに形成されている。ここで、武道着８１０の下端部８１０ｃの丈の長さは、例えば武道着８００のサイズに合致する袴９００の標準的な脇あき９００ａの上端部から下端部までの垂直方向の長さ（３０ｃｍ乃至４０ｃｍ）より大きくなるよう形成してある。
【００５２】
袖部８２０は内側が空洞となる筒状であり、当該袖部８２０の上部８２０ａが略円弧状のなだらかなカーブを描くよう曲線状に形成されており、身頃８１０の上部左右両側にて外側下方へ指向するよう縫製により設けられているものである。
【００５３】
襟部８３０は、身頃８１０の上部８１０ａ即ち後身頃８１４の上端部から身頃８１０の下端部８１０ｂ即ち前身頃８１２の下端部に亘って縫製により設けられている。而して、襟部８３０には、胸紐８５０，８５０が設けられている。
【００５４】
前述した袴９００には、脇あき９００ａの他に袴帯９１０及び腰板９２０が設けられている。この袴帯９１０と腰板９２０は、袴９００を穿いた着用者にしっかり固定させるために機能するばかりではなく、袴９００の内側に入れられた武道着８００を適切にホールドする機能を有するものである。
【００５５】
上記構成につき、本実施形態の武道着８００の製造方法の一例を図１１を参照して説明する。
【００５６】
先ず、上部８１０ａの両側が略円弧状のなだらかなカーブとなるよう曲線状に裁断された身頃８１０の下端部８１０ｂに、スリット部８４０を複数設ける（ステップＳ１１２０）。即ち、前身頃８１２の中央下端部寄りの位置にて左右に一箇所ずつスリット部８４０を設け、後身頃８１４の中央下端部寄りの位置にて左右に一箇所ずつスリット部８４０を設け、合計四つのスリット部８４０が設けられることになる。そして、スリット部８４０の縁には補強部材が縫製される。
【００５７】
次に、上部８２０ａが略円弧状のなだらかなカーブとなるよう曲線状に形成された筒状の袖部８２０を、身頃８１０の上部左右両側、即ち身頃８１０の曲線状を呈す箇所にて外側下方へ指向するよう縫製される。これにより、袖部８２０が身頃８１０に設けられることになる（ステップＳ１１４０）。この縫製に際しては、強度を補強するためにバイアステープによる処理が施される。
【００５８】
この後、身頃８１０の後身頃８１４の上端部から前身頃８１２の下端部に亘って襟部８３０を縫製により設ける（ステップＳ１１６０）。この後、胸紐８５０を襟部８３０に取り付ける（ステップＳ１１８０）。
【００５９】
続いて、上記武道着に関し、着用時の作用を説明する。
【００６０】
武道着８００と袴９００を身に着けた着用者が蹲踞する場合、複数のスリット部８４０により身頃８１０の下端部８１０ｂが自由に動くことができるので、身頃８１０に加わる圧力は一箇所に集中することなく拡散されることになる。また、着用者が竹刀を正面で構えた際、身頃８００の上部８１０ａと袖部８２０が着用者の上半身及び腕に嵩張ることなくフィットするので、着用者の円滑な動きを可能とするものであり、立ち姿も美しくなる。特に、腕を振り上げる動作については、曲線状に形成された身頃８１０及び袖部８２０の上部が着用者の動作に負荷をかけることはない。着用者の激しい動きにより、袴９００の内側に入れられた武道着８００の腰８１０ｃがずれたとしても、スリット部８４０による負荷分散機能も加わって、武道着８００の下端部８１０ｂは脇あき９００ａを内側から覆った状態を保つものである。
【００６１】
上記実施形態によれば、蹲踞による急激な圧力が身頃に加わった場合でも、複数のスリット部８４０の動きにより身頃への負荷を軽減でき、従来のようにスリット部が断裂するような事態は解消されるものである。また、前身頃８１２にもスリット部８４０が形成されているので、通気性の改善も図れ、汗や熱による臭気の発生を防止できるとともに湿気防止も図れ、衛生面での改善も図れる。さらに、身頃８１０及び袖部８２０はその上部が略円弧状のなだらかなカーブとなるよう曲線状に形成されているので、着用者の肩や腕の動きへの負荷が軽減され、運動特性が改善される。加えて、着用者が腕を前に構えたときに、従来のような武道着の胸部のふくらみや着崩れの問題を解消でき、体へのフィット感も向上し、武道で大切な立ち姿勢の姿が大変美しくなり見栄えも向上するとともに、着用者の円滑な動きが保証されるものである。而して、武道着８００の下端部の丈の長さは、武道着８００のサイズに合致する袴の標準的な脇あき９００ａの上端部から下端部までの長さより大きくなるよう形成しているので、袴着用時に袴９００の脇あき９００ａを袴９００の内側から確実に覆うことでき、ずれによる影響も受け難くなり、見映えも良く安全性の向上を図れるものである。
【００６２】
本発明は上述実施形態に限定されることはなく、その趣旨を逸脱しない範囲にて種々の変形が可能なことは勿論である。
【００６３】
尚、上述した２種の実施形態では、袖部を身頃に設けるには、縫製した後にバイアステープの処理を施すことにより強度を増した。図１２乃至図１６に示すような縫製を施すことにより、バイアステープの処理をなくすことも可能である。
【００６４】
即ち、図１２を参照して説明する。図中、手前側に位置する布地は身頃１２１０（上述一実施形態では身頃１１０、他の実施形態では身頃８１０に該当）であり、奥側に位置する布地は袖部１２２０（上述一実施形態では袖部１２０、他の実施形態では袖部８２０に該当）である。先ず、袖部１２２０を身頃１２１０に対して２．５ｃｍ程度ずらして身頃１２１０と袖部１２２０とを重ね合わせミシン目１２６０となるよう直線縫いをする（図１２の（ａ），（ｂ）を参照）。次に、袖部１２２０の一端部（図中、上端部分）を三つ折にした状態で、身頃１２１０側のミシン目１２６０を覆うようにする（図１２の（ｃ）を参照）。この後、三つ折部分をミシン目１２７０となるよう直線縫いをすればよい（図１２の（ｄ）を参照）。このようにすることにより、バイアステープの補強なしでも身頃１２１０に袖部１２２０を強固に縫製することが可能である。
【００６５】
上記図１２とは異なる縫製について、図１３を参照して説明する。図中、手前側に位置する布地は身頃１３１０（上述一実施形態では身頃１１０、他の実施形態では身頃８１０に該当）であり、奥側に位置する布地は袖部１３２０（上述一実施形態では袖部１２０、他の実施形態では袖部８２０に該当）である。先ず、身頃１３１０と袖部１３２０とを重ね合わせ、その端部１３１０ｅ，１３２０ｅをほつれ防止のためにピンキングカットの処理を施し、伸縮機能を有する糸にて縫い代１３６０となるよう両者を縫い合わせる（図１３の（ａ）を参照）。次に、身頃１３１０は矢印Ｂの方向に、袖部１３２０は矢印Ａの方向に、縫い代を開き（図１３の（ｂ）を参照）、夫々の布地を重ね合わせる（図１３の（ｃ）を参照）。この後、布地を反対側に返し、布地の継ぎ目１３７０を跨ぐようにジグザグのステッチ１３８０の処理を施す（図１３の（ｄ）を参照）。この際、伸縮性を有する糸を使用する。このようにすることにより、バイアステープの補強なしでも身頃１３１０に袖部１３２０を強固に縫製することが可能である。しかも、伸縮性を有する糸によるステッチ処理により、縫い目の補強の他にジグザグにより伸縮性も維持できるものである。尚、図１３の（ｅ）に示すように、ミシン目１３９０となるよう更なる縫製を施してもよい。
【００６６】
上記図１３とは異なる縫製について、図１４を参照して説明する。図中、手前側に位置する布地は身頃１４１０（上述一実施形態では身頃１１０、他の実施形態では身頃８１０に該当）であり、奥側に位置する布地は袖部１４２０（上述一実施形態では袖部１２０、他の実施形態では袖部８２０に該当）である。先ず、身頃１４１０と袖部１４２０とを重ね合わせ、その端部１４１０ｅ，１４２０ｅをほつれ防止のためにピンキングカットの処理を施し、伸縮機能を有する糸にて縫い代１４６０となるよう両者を縫い合わせる（図１４の（ａ）を参照）。次に、身頃１４１０は矢印Ｂの方向に、袖部１４２０は矢印Ａの方向に、縫い代を開き（図１４の（ｂ）を参照）、夫々の布地を重ね合わせる（図１４の（ｃ）を参照）。この後、布地を反対側に返し、布地の継ぎ目１４７０を跨ぐように細かい波状のステッチ１４８０の処理を施す（図１４の（ｄ）を参照）。この際、伸縮性を有する糸を使用する。このようにすることにより、バイアステープの補強なしでも身頃１４１０に袖部１４２０を強固に縫製することが可能である。しかも、伸縮性を有する糸によるステッチ処理により、縫い目の補強の他に細かな波状処理により伸縮性も維持できるものである。尚、図１４の（ｅ）に示すように、ミシン目１４９０となるよう更なる縫製を施してもよい。
【００６７】
上記図１４とは異なる縫製について、図１５を参照して説明する。図中、奥側に位置する布地は身頃１５１０（上述一実施形態では身頃１１０、他の実施形態では身頃８１０に該当）であり、手前側に位置する布地は袖部１５２０（上述一実施形態では袖部１２０、他の実施形態では袖部８２０に該当）である。先ず、身頃１５１０と袖部１５２０とを重ね合わせ、その端部１５１０ｅ，１５２０ｅをほつれ防止のためにピンキングカットの処理を施し、伸縮機能を有する糸にて縫い代１５６０となるよう両者を縫い合わせる（図１５の（ａ）を参照）。次に、縫い代１５６０からピンキングカットを施した部分までの身頃１５１０及び袖部１５２０の布地を一緒に矢印Ａ方向に袖部１５２０側に倒す（図１５の（ｂ），（ｃ）を参照）。この後、布地を反対側に返し、布地の継ぎ目１５７０から袖部１５２０側でジグザグ状のステッチ１５８０の処理を施す（図１５の（ｄ）を参照）。この際、伸縮性を有する糸を使用する。このようにすることにより、バイアステープの補強なしでも身頃１５１０に袖部１５２０を強固に縫製することが可能である。しかも、伸縮性を有する糸によるステッチ処理により、縫い目の補強の他にジグザグにより伸縮性も維持できるものである。
【００６８】
上記図１５とは異なる縫製について、図１６を参照して説明する。図中、奥側に位置する布地は身頃１６１０（上述一実施形態では身頃１１０、他の実施形態では身頃８１０に該当）であり、手前側に位置する布地は袖部１６２０（上述一実施形態では袖部１２０、他の実施形態では袖部８２０に該当）である。先ず、身頃１６１０と袖部１６２０とを重ね合わせ、その端部１６１０ｅ，１６２０ｅをほつれ防止のためにピンキングカットの処理を施し、伸縮機能を有する糸にて縫い代１６６０となるよう両者を縫い合わせる（図１６の（ａ）を参照）。次に、縫い代１６６０からピンキングカットを施した部分までの身頃１６１０及び袖部１６２０の布地を一緒に矢印Ａ方向に袖部１６２０側に倒す（図１６の（ｂ），（ｃ）を参照）。この後、布地を反対側に返し、布地の継ぎ目１６７０から袖部１６２０側に細かな波状のステッチ１６８０の処理を施す（図１５の（ｄ）を参照）。この際、伸縮性を有する糸を使用する。このようにすることにより、バイアステープの補強なしでも身頃１６１０に袖部１６２０を強固に縫製することが可能である。しかも、伸縮性を有する糸によるステッチ処理により、縫い目の補強の他に細かな波状処理により伸縮性も維持できるものである。
【符号の説明】
【００６９】
１００  …武道着
１１０  …身頃
１１０ａ…上部
１１０ｂ…下端部
１１２  …前身頃
１１４  …後身頃
１２０  …袖部
１３０  …襟部
１４０  …スリット部
１５０  …胸紐
２００  …袴
２００ａ…脇あき
８００  …武道着
８１０  …身頃
８１０ａ…上部
８１０ｂ…下端部
８１２  …前身頃
８１４  …後身頃
８２０  …袖部
８３０  …襟部
８４０  …スリット部
８５０  …胸紐
９００  …袴
９００ａ…脇あき
【図１】
2014025186.tif 000003
【図２】
2014025186.tif 000004
【図３】
2014025186.tif 000005
【図４】
2014025186.tif 000006
【図５】
2014025186.tif 000007
【図６】
2014025186.tif 000008
【図７】
2014025186.tif 000009
【図８】
2014025186.tif 000010
【図９】
2014025186.tif 000011
【図１０】
2014025186.tif 000012
【図１１】
2014025186.tif 000013
【図１２】
2014025186.tif 000014
【図１３】
2014025186.tif 000015
【図１４】
2014025186.tif 000016
【図１５】
2014025186.tif 000017
【図１６】
2014025186.tif 000018
【図１７】
2014025186.tif 000019
【図１８】
2014025186.tif 000020